(57)【要約】【課題】リグの比重又は質量が容易かつ短時間で調整されうるジグヘッド２の提供。【解決手段】ジグヘッド２は、フック４と調整部材６とを備えている。フック４は、チモト８、シャンク１０及びベンド１２を備えている。シャンク１０は、元部１６と先部１８とからなる。調整部材６は、ボディ２２、孔２４及びスリット２６を備えている。孔２４は、軸方向に延在している。孔２４は、ボディ２２を貫通している。スリット２６も、軸方向にボディ２２を貫通している。スリット２６は、ボディ２２の外面から孔２４にまで至っている。スリット２６の幅Ｗ１は、先部１８の寸法Ｄ１と同等か、若干大きい。スリット２６の幅Ｗ１は、元部１６の寸法Ｄ２よりも小さい。孔２４の幅Ｗ２は、元部１６の寸法Ｄ２と同等か、若干大きい。【選択図】図１
2011135896.tif 000002
【特許請求の範囲】
【請求項１】
フックと、このフックに対して着脱自在な調整部材とを備えており、
この調整部材によって比重又は質量が調整されるように構成され、
上記調整部材が、ボディと、このボディを軸方向に貫通する孔と、このボディの外面から孔にまで至りかつ軸方向に貫通するスリットとを備えており、
このスリットに案内されてフックが孔に至るように構成され、
上記フックのシャンクを包み込みうる補助部材をさらに備えており、
フックに調整部材が取り付けられた状態において、この補助部材がフックとボディとの間に介在しており、
この補助部材によってフックが孔から脱抜しないように構成されたジグヘッド。
【請求項２】
上記補助部材が筒状であり、この補助部材をシャンクが貫通している請求項１に記載のジグヘッド。
【請求項３】
上記調整部材の元側の面が凹陥している請求項１に記載のジグヘッド。
【請求項４】
上記調整部材の元側の面が、先側から元側に向かって下向きに傾斜している請求項１に記載のジグヘッド。
【発明の詳細な説明】
【技術分野】
【０００１】
本発明は、釣りに用いられるジグヘッドに関する。
【背景技術】
【０００２】
メバルをターゲットとしたルアーフィッシングには、ジグヘッドが用いられる。このジグヘッドは、フックと、このフックに取り付けられたシンカーとを備えている。フックのチモトには、ラインが結ばれる。フックには、ソフトルアーが突き刺される。このソフトルアーをベイトと勘違いしたメバルは、このソフトルアーに食いつく。フックがメバルに刺さり、メバルが釣り上げられる。
【０００３】
ルアーフィッシングには、種々の比重のリグ（ジグヘッド及びルアーの全体）が用いられる。メバルが海底（「根」と称される）にいるときは、シンキングタイプのリグが有利である。このシンキングタイプのリグの比重は、海水の比重よりも大きい。シンキングタイプのリグは、海水中において沈降する。メバルが中層を泳いでいるときは、サスペンドタイプのリグが有利である。このサスペンドタイプのリグの比重は、海水の比重と同等である。サスペンドタイプのリグは、海水中を漂う。メバルが表層のベイトを意識しているときは、フローティングタイプのリグが有利である。このフローティングタイプのリグの比重は、海水の比重よりも小さい。フローティングタイプのリグは、海水に浮く。
【０００４】
リグの質量も重要である。質量の大きなリグは、遠投に有利である。遠投が不要な場合、質量の小さなリグの方が扱い易いこともある。
【発明の概要】
【発明が解決しようとする課題】
【０００５】
リグの比重及び質量は、シンカーの比重及び質量に依存する。適切な比重及び質量を備えたリグを得るため、釣り人は、適切な比重及び質量を備えたシンカーを有するジグヘッドを選択する。メバルの活性、キャストの距離、潮の速度、ベイトの種類等に応じ、釣り人はジグヘッドを頻繁に交換する。この交換では、ジグヘッドのチモトからラインがはずされ、他のジグヘッドのチモトにラインが結ばれる。この作業は繁雑であり、手間を要する。メバルをターゲットとしたルアーフィッシングは、冬期のしかも夜間に行われることが多い。低い気温下でのジグヘッドの交換は、釣り人にとって煩わしい。同様の問題は、他の魚種をターゲットとしたルアーフィッシングでも生じている。
【０００６】
本発明の目的は、リグの比重又は質量が容易かつ短時間で調整されうるジグヘッドの提供にある。
【課題を解決するための手段】
【０００７】
本発明に係るジグヘッドは、フックと、このフックに対して着脱自在な調整部材とを備える。このジグヘッドでは、この調整部材によって比重又は質量が調整される。
【０００８】
好ましくは、調整部材は、ボディと、このボディを軸方向に貫通する孔と、このボディの外面からこの孔にまで至りかつ軸方向に貫通するスリットとを備える。このスリットに案内されて、フックは孔に至る。
【０００９】
好ましくは、スリットの幅は孔の幅よりも小さい。フックは、元部と先部とからなるシャンクを備える。この先部は、スリットを通過して孔に至りうる断面形状を備える。元部は、孔に存在するときにこの孔から脱抜しない断面形状を備える。
【００１０】
ジグヘッドが、フックのシャンクを包み込みうる補助部材をさらに備えてもよい。フックに調整部材が取り付けられた状態において、この補助部材はフックとボディとの間に介在する。この補助部材によって、フックの孔からの脱抜が阻止される。補助部材が、筒状であることが好ましい。
【００１１】
好ましくは、調整部材の元側の面は、凹陥している。元側の面が、先側から元側に向かって下向きに傾斜してもよい。
【００１２】
調整部材が、ボディと、このボディの外面に開口するスリットと、このスリットにおいてボディから突出する突起とを備えてもよい。このスリットに案内されつつ、フックは突起を乗り越える。
【発明の効果】
【００１３】
本発明に係るジグヘッドでは、フックに調整部材が装着された状態と、装着されていない状態とで、リグの比重又は質量が異なる。このジグヘッドではさらに、比重又は質量の異なる２種以上の調整部材が、それぞれフックに装着されうる。換言すれば、調整部材が交換されうる。装着される調整部材の種類に応じ、リグの比重又は質量が変動する。このジグヘッドでは、調整部材の着脱及び交換は、チモトにラインが結ばれたままでなされうる。この着脱及び交換は、容易でありかつ時間を要さない。
【図面の簡単な説明】
【００１４】
【図１】図１（ａ）は本発明の一実施形態に係るジグヘッドが示された正面図であり、図１（ｂ）は図１（ａ）のＢ−Ｂ線に沿った断面図であり、図１（ｃ）は図１（ａ）のＣ−Ｃ線に沿った断面図である。
【図２】図２は、図１のジグヘッドが示された分解正面図である。
【図３】図３（ａ）は本発明の他の実施形態に係るジグヘッドが示された正面図であり、図３（ｂ）は図３（ａ）のＢ−Ｂ線に沿った断面図であり、図３（ｃ）は図３（ａ）のＣ−Ｃ線に沿った断面図である。
【図４】図４（ａ）は本発明のさらに他の実施形態に係るジグヘッドが示された正面図であり、図４（ｂ）は図４（ａ）のＢ−Ｂ線に沿った断面図であり、図４（ｃ）は図４（ｂ）のＣ−Ｃ線に沿った断面図である。
【図５】図５（ａ）は本発明のさらに他の実施形態に係るジグヘッドが示された正面図であり、図５（ｂ）は図５（ａ）のＢ−Ｂ線に沿った断面図であり、図５（ｃ）は図５（ｂ）のＣ−Ｃ線に沿った断面図である。
【図６】図６（ａ）は本発明のさらに他の実施形態に係るジグヘッドが示された正面図であり、図６（ｂ）は図６（ａ）のＢ−Ｂ線に沿った拡大断面図である。
【図７】図７は、図６のジグヘッドが示された分解正面図である。
【図８】図８（ａ）は本発明のさらに他の実施形態に係るジグヘッドが示された正面図であり、図８（ｂ）は図８（ａ）のＢ−Ｂ線に沿った断面図であり、図８（ｃ）は図８（ｂ）のＣ−Ｃ線に沿った断面図である。
【図９】図９は、図８のジグヘッドが示された分解正面図である。
【図１０】図１０（ａ）は本発明のさらに他の実施形態に係るジグヘッドが示された正面図であり、図１０（ｂ）は図１０（ａ）のＢ−Ｂ線に沿った拡大断面図である。
【図１１】図１１は、図１０のジグヘッドが示された分解正面図である。
【発明を実施するための形態】
【００１５】
以下、適宜図面が参照されつつ、好ましい実施形態に基づいて本発明が詳細に説明される。
【００１６】
図１（ａ）は本発明の一実施形態に係るジグヘッド２が示された正面図であり、図１（ｂ）は図１（ａ）のＢ−Ｂ線に沿った断面図であり、図１（ｃ）は図１（ａ）のＣ−Ｃ線に沿った断面図である。図１（ａ）における左右方向は、軸方向である。図１（ａ）において、左側は元側であり、右側は先側である。このジグヘッド２は、フック４と調整部材６とを備えている。
【００１７】
フック４は、チモト８、シャンク１０及びベンド１２を備えている。チモト８は、アイ１４を備えている。このアイ１４に、直接に又はスナップを介して、ライン又はリーダーが連結される。シャンク１０は、元部１６と先部１８とからなる。図１（ｂ）に示されるように、元部１６の断面形状は円形である。図１（ｃ）に示されるように、先部１８の断面形状は円形である。先部１８の寸法Ｄ１は、元部１６の寸法Ｄ２よりも小さい。ベンド１２は、バーブ２０を備えている。このフック４は、ソフトルアー（ワーム）に突き刺される。
【００１８】
図１（ｂ）に示されるように、調整部材６の断面形状は円である。調整部材６は、ボディ２２、孔２４及びスリット２６を備えている。孔２４は、軸方向に延在している。孔２４は、ボディ２２を貫通している。スリット２６も、軸方向にボディ２２を貫通している。スリット２６は、ボディ２２の外面から孔２４にまで至っている。スリット２６の幅Ｗ１は、孔２４の幅Ｗ２より小さい。
【００１９】
スリット２６の幅Ｗ１は、先部１８の寸法Ｄ１と同等か、若干大きい。従って、先部１８はスリット２６を通過しうる。スリット２６の幅Ｗ１は、元部１６の寸法Ｄ２よりも小さい。従って、元部１６はスリット２６を通過し得ない。孔２４の幅Ｗ２は、元部１６の寸法Ｄ２と同等か、若干大きい。従って、元部１６は孔２４に収容されうる。
【００２０】
図２は、図１のジグヘッド２が示された分解正面図である。この図２では、フック４と調整部材６とは分離している。調整部材６がフック４に装着されるときには、この調整部材６が、矢印Ａ１の方向に移動する。このとき、先部１８はスリット２６（図１（ｂ）参照）に通される。前述の通り、スリット２６の幅Ｗ１が先部１８の寸法Ｄ１と同等か若干大きいので、先部１８はスリット２６に案内されつつ孔２４に至る。換言すれば、先部１８は、スリット２６を通過しうる断面形状を有する。調整部材６はさらに、矢印Ａ２で示される方向に移動する。前述のように、孔２４の幅Ｗ２が元部１６の寸法Ｄ２と同等か若干大きいので、矢印Ａ２の方向への移動により、元部１６が孔２４に収容される。前述のように、スリット２６の幅Ｗ１が元部１６の寸法Ｄ２よりも小さいので、元部１６が孔２４に収容された状態では、元部１６は孔２４から脱抜し得ない。調整部材６は、フック４に固定される。換言すれば、元部１６は、孔２４から脱抜し得ない断面形状を有する。調整部材６がフック４から取り外されるときは、調整部材６が矢印Ａ２とは反対の方向へ移動し、さらに矢印Ａ１とは反対の方向へ移動する。このジグヘッド２では、簡単な操作で、かつ短時間で、調整部材６の着脱が達成される。この操作の間、ラインはチモト８に連結されたままである。
【００２１】
孔２４の幅Ｗ２が、元部１６の寸法Ｄ２より若干小さくてもよい。この場合は、元部１６が孔２４に圧入される。圧入の容易のため、調整部材６は弾性材料から構成される。
【００２２】
調整部材６がフック４に取り付けられた状態では、リグの質量は大きい。このリグでは、大きな飛距離が得られうる。一方、調整部材６がフック４に取り付けられていない状態では、リグの質量は小さい。このジグヘッド２では、質量が容易に調整されうる。調整部材６が、質量の異なる他の調整部材６と交換されても良い。複数の調整部材６が準備されることにより、リグの質量が多段階で変更されうる。調整部材６の交換も、簡単な操作で、かつ短時間でなされうる。
【００２３】
調整部材６が、比重の異なる他の調整部材６と交換されても良い。比重が大きな調整部材６により、シンキングタイプのリグが得られる。比重が小さな調整部材６（すなわちフロート）により、フローティングタイプのリグが得られる。中間の比重を備えた調整部材６により、サスペンドタイプのリグが得られる。比重が小さくかつ質量が大きなリグ（すなわち体積が大きなリグ）が用いられても良い。この場合、大きな飛距離と遅い沈降速度とが両立されうる。
【００２４】
図３（ａ）は本発明の他の実施形態に係るジグヘッド３２が示された正面図であり、図３（ｂ）は図３（ａ）のＢ−Ｂ線に沿った断面図であり、図３（ｃ）は図３（ａ）のＣ−Ｃ線に沿った断面図である。このジグヘッド３２は、フック３４と調整部材３６とを備えている。
【００２５】
フック３４は、元部３８と先部４０とからなるシャンク４２を備えている。図３（ｂ）に示されるように、元部３８の断面形状は矩形である。図３（ｃ）に示されるように、先部４０の断面形状は円形である。先部４０の寸法Ｄ１は、元部３８の寸法Ｄ２よりも小さい。
【００２６】
調整部材３６は、ボディ４３、孔４４及びスリット４６を備えている。孔４４は、軸方向に延在している。孔４４は、ボディ４３を貫通している。スリット４６も、軸方向にボディ４３を貫通している。スリット４６は、ボディ４３の外面から孔４４にまで至っている。スリット４６の幅Ｗ１は、孔４４の幅Ｗ２より小さい。
【００２７】
スリット４６の幅Ｗ１は、先部４０の寸法Ｄ１と同等か、若干大きい。従って、先部４０はスリット４６を通過しうる。換言すれば、先部４０は、スリット４６を通過しうる断面形状を有する。スリット４６の幅Ｗ１は、元部３８の寸法Ｄ２よりも小さい。従って、元部３８はスリット４６を通過し得ない。孔４４の幅Ｗ２は、元部３８の寸法Ｄ２と同等か、若干大きい。従って、元部３８は孔４４に収容されうる。元部３８が孔４４に収容された状態で、元部３８は孔４４から脱抜し得ない。換言すれば、元部３８は、孔４４から脱抜しない断面形状を有する。孔４４の幅Ｗ２が、元部３８の寸法Ｄ２よりも若干小さくてもよい。この場合は、元部３８が孔４４に圧入される。
【００２８】
このジグヘッド３２では、図１に示されたジグヘッド２と同等の方法で、調整部材３６がフック３４に着脱される。着脱の操作は、簡単である。このジグヘッド３２では、図１に示されたジグヘッド２と同等の方法で、調整部材３６が交換されうる。交換の操作は、簡便である。
【００２９】
図４（ａ）は本発明のさらに他の実施形態に係るジグヘッド５２が示された正面図であり、図４（ｂ）は図４（ａ）のＢ−Ｂ線に沿った断面図であり、図４（ｃ）は図４（ｂ）のＣ−Ｃ線に沿った断面図である。このジグヘッド５２は、フック５４と調整部材５６とを備えている。
【００３０】
フック５４は、元部５８と先部６０とからなるシャンク６２を備えている。図４（ｂ）に示されるように、元部５８の断面形状は円形である。図示されていないが、図１に示されたジグヘッド２と同様に、先部６０の断面形状は円形である。先部６０の寸法（直径）は、元部５８の寸法（直径）よりも小さい。
【００３１】
調整部材５６は、ボディ６４、孔６６及びスリット６８を備えている。孔６６は、軸方向に延在している。孔６６は、ボディ６４を貫通している。スリット６８も、軸方向にボディ６４を貫通している。スリット６８は、ボディ６４の外面から孔６６にまで至っている。スリット６８の幅は、孔６６の幅より小さい。
【００３２】
このジグヘッド５２では、図１に示されたジグヘッド２と同等の方法で、調整部材５６がフック５４に着脱される。着脱の操作は、簡単である。このジグヘッド５２では、図１に示されたジグヘッド２と同等の方法で、調整部材５６が交換されうる。交換の操作は、簡便である。
【００３３】
図４（ｃ）に示されるように、この調整部材５６の元側の面７０は凹陥している。換言すれば、このボディ６４はディンプルを備えている。ラインが引かれると、このディンプル７０が水を前方へと飛ばす。このとき発生する水流及び音は、メバルにアピールする。このディンプル７０は、ポッパータイプのルアーと同等の効果を発揮する。
【００３４】
図５（ａ）は本発明のさらに他の実施形態に係るジグヘッド７２が示された正面図であり、図５（ｂ）は図５（ａ）のＢ−Ｂ線に沿った断面図であり、図５（ｃ）は図５（ｂ）のＣ−Ｃ線に沿った断面図である。このジグヘッド７２は、フック７４と調整部材７６とを備えている。
【００３５】
フック７４は、元部７８と先部８０とからなるシャンク８２を備えている。図５（ｂ）に示されるように、元部７８の断面形状は円形である。図示されていないが、図１に示されたジグヘッド２と同様に、先部８０の断面形状は円形である。先部８０の寸法（直径）は、元部７８の寸法（直径）よりも小さい。
【００３６】
調整部材７６は、ボディ８４、孔８６及びスリット８８を備えている。孔８６は、軸方向に延在している。孔８６は、ボディ８４を貫通している。スリット８８も、軸方向にボディ８４を貫通している。スリット８８は、ボディ８４の外面から孔８６にまで至っている。スリット８８の幅は、孔８６の幅より小さい。
【００３７】
調整部材７６は、さらにウエイト９０を備えている。このウエイト９０の比重は、ボディ８４の比重よりも大きい。このジグヘッド７２が用いられたリグでは、ウエイト９０が下方に位置するような水中姿勢を保つ。
【００３８】
このジグヘッド７２では、図１に示されたジグヘッド２と同等の方法で、調整部材７６がフック７４に着脱される。着脱の操作は、簡単である。このジグヘッド７２では、図１に示されたジグヘッド２と同等の方法で、調整部材７６が交換されうる。交換の操作は、簡便である。
【００３９】
図５（ｃ）に示されるように、この調整部材７６の元側の面９２は、先側から元側に向かって下向きに傾斜している。この面９２は、いわゆる水受け面である。ラインが引かれると、この水受け面９２が下方向への揚力を生み出す。この揚力によりリグが潜水する。
【００４０】
図６（ａ）は本発明のさらに他の実施形態に係るジグヘッド１０２が示された正面図であり、図６（ｂ）は図６（ａ）のＢ−Ｂ線に沿った拡大断面図である。このジグヘッド１０２は、フック１０４、調整部材１０６及び補助部材１０８を備えている。
【００４１】
フック１０４は、元部１１０と先部１１２とからなるシャンク１１４を備えている。図６（ｂ）に示されるように、元部１１０の断面形状は円形である。図示されていないが、図１に示されたジグヘッド２と同様に、先部１１２の断面形状は円形である。元部１１０の寸法（直径）は、先部１１２の寸法（直径）と同一である。
【００４２】
調整部材１０６は、ボディ１１６、孔１１８及びスリット１２０を備えている。孔１１８は、軸方向に延在している。孔１１８は、ボディ１１６を貫通している。スリット１２０も、軸方向にボディ１１６を貫通している。スリット１２０は、ボディ１１６の外面から孔１１８にまで至っている。スリット１２０の幅は、孔１１８の幅より小さい。
【００４３】
補助部材１０８は、ゴム、軟質合成樹脂等の軟質材料からなる。補助部材１０８は、筒部１２２、一方のプレート１２４及び他方のプレート１２６からなる。図６（ｂ）から明らかなように、元部１１０は筒部１２２に包み込まれている。筒部１２２は、元部１１０とボディ１１６との間に介在している。両プレート１２４、１２６は、スリット１２０に存在している。この補助部材１０８は、元部１１０がスリット１２０を通過することを阻止する。
【００４４】
図７は、図６のジグヘッド１０２が示された分解正面図である。調整部材１０６がフック１０４に装着されるときには、両プレート１２４、１２６が離間した状態で、元部１１０が筒部１２２に押し込まれる。一方のプレート１２４が他方のプレート１２６と合わされることで、元部１１０が補助部材１０８に包み込まれる。その後、調整部材１０６が矢印Ａ１の方向に移動する。このとき、先部１１２はスリット１２０（図６（ｂ）参照）に通される。先部１１２の寸法（直径）はスリット１２０の幅よりも小さいので、先部１１２は、スリット１２０に案内されつつ孔１１８に至る。調整部材１０６はさらに、矢印Ａ２で示される方向に移動する。孔１１８の幅が筒部１２２の外径と同等か若干大きいので、矢印Ａ２の方向への移動により、筒部１２２が孔１１８に挿入される。この挿入により、両プレート１２４、１２６はスリット１２０に挿入される。この挿入により、調整部材１０６がフック１０４に固定される。調整部材１０６がフック１０４から取り外されるときは、調整部材１０６が矢印Ａ２とは反対の方向へ移動し、さらに矢印Ａ１とは反対の方向へ移動する。このジグヘッド１０２では、簡単な操作で、かつ短時間で、調整部材１０６の着脱が達成される。この操作の間、ラインはチモトに連結されたままである。孔１１８の幅が、筒部１２２の外径よりも若干小さくてもよい。この場合は、筒部１２２が孔１１８に圧入される。
【００４５】
図８（ａ）は本発明のさらに他の実施形態に係るジグヘッド１３２が示された正面図であり、図８（ｂ）は図８（ａ）のＢ−Ｂ線に沿った断面図であり、図８（ｃ）は図８（ｂ）のＣ−Ｃ線に沿った断面図である。このジグヘッド１３２は、フック１３４、調整部材１３６及び補助部材１３８を備えている。
【００４６】
フック１３４は、元部１４０と先部１４２とからなるシャンク１４４を備えている。図８（ｂ）に示されるように、元部１４０の断面形状は円形である。図示されていないが、図１に示されたジグヘッド２と同様に、先部１４２の断面形状は円形である。元部１４０の寸法（直径）は、先部１４２の寸法（直径）と同一である。
【００４７】
調整部材１３６は、ボディ１４６、孔１４８及びスリット１５０を備えている。孔１４８は、軸方向に延在している。孔１４８は、ボディ１４６を貫通している。スリット１５０も、軸方向にボディ１４６を貫通している。スリット１５０は、ボディ１４６の外面から孔１４８にまで至っている。スリット１５０の幅は、孔１４８の幅より小さい。
【００４８】
補助部材１３８は、ゴム、軟質合成樹脂等の軟質材料からなる。補助部材１３８は、筒状である。図８（ｂ）から明らかなように、この補助部材１３８には、元部１４０が貫通している。補助部材１３８は、元部１４０とボディ１４６との間に介在している。この補助部材１３８は、元部１４０がスリット１５０を通過することを阻止する。図８（ｃ）から明らかなように、補助部材１３８の軸方向長さは、調整部材１３６のそれよりも大きい。補助部材１３８の軸方向長さが、調整部材１３６のそれよりも小さくてもよい。補助部材１３８は、元部１４０に対して着脱不可能である。補助部材１３８にスリット１５０が形成され、このスリット１５０を通じて補助部材１３８が元部１４０に着脱自在とされてもよい。
【００４９】
図９は、図８のジグヘッド１３２が示された分解正面図である。調整部材１３６がフック１３４に装着されるときには、調整部材１３６が矢印Ａ１の方向に移動する。このとき、先部１４２はスリット１５０（図８（ｂ）参照）に通される。先部１４２の寸法（直径）はスリット１５０の幅よりも小さいので、先部１４２は、スリット１５０に案内されつつ孔１４８に至る。調整部材１３６はさらに、矢印Ａ２で示される方向に移動する。孔１４８の幅が補助部材１３８の外径と同等か若干大きいので、矢印Ａ２の方向への移動により、補助部材１３８が孔１４８に挿入される。この挿入により、調整部材１３６がフック１３４に固定される。調整部材１３６がフック１３４から取り外されるときは、調整部材１３６が矢印Ａ２とは反対の方向へ移動し、さらに矢印Ａ１とは反対の方向へ移動する。このジグヘッド１３２では、簡単な操作で、かつ短時間で、調整部材１３６の着脱が達成される。この操作の間、ラインはチモトに連結されたままである。孔１４８の幅が、補助部材１３８の外径よりも若干小さくてもよい。この場合は、補助部材１３８が孔１４８に圧入される。
【００５０】
図１０（ａ）は本発明のさらに他の実施形態に係るジグヘッド１５２が示された正面図であり、図１０（ｂ）は図１０（ａ）のＢ−Ｂ線に沿った拡大断面図である。このジグヘッド１５２は、フック１５４と調整部材１５６とを備えている。
【００５１】
フック１５４は、シャンク１５８を備えている。このシャンク１５８は、「Ｕ」字状に湾曲した湾曲部１６０を備えている。湾曲部１６０は、２つの垂下部１６２と、これら垂下部１６２の間に位置する水平部１６４とからなる。図１０（ｂ）において両矢印Ｄで示されているのは、シャンク１５８の寸法である。
【００５２】
調整部材１５６は、ボディ１６４、スリット１６６及び２つの突起１６８を備えている。スリット１６６は、軸方向にボディ１６４を貫通している。スリット１６６は、ボディ１６４の外面に開口している。図１０（ｂ）において両矢印Ｗ１で示されているのは、スリット１６６の幅である。突起１６８は、ボディ１６４と一体的に形成されている。突起１６８は、このスリット１６６においてボディ１６４から突出している。突起１６８は、ゴム、軟質合成樹脂等の軟質材料からなる。この突起１６８により、スリット１６６の幅が局部的に狭くなっている。狭い部分の幅が、図１０（ｂ）において両矢印Ｗ２で示されている。
【００５３】
図１１は、図１０のジグヘッド１５２が示された分解正面図である。調整部材１５６がフック１５４に装着されるときには、この調整部材１５６が、矢印Ａ１の方向に移動する。このとき、シャンク１５８はスリット１６６（図１０（ｂ）参照）に通される。スリット１６６の幅Ｗ１がシャンク１５８の寸法Ｄよりも大きいので、シャンク１５８はスリット１６６に案内されつつ移動する。幅Ｗ２は寸法Ｄよりも小さいが、シャンク１５８に押されて突起１６８が変形するので、シャンク１５８はこの突起１６８を乗り越えて、スリット１６６の底に至る。シャンク１５８が通過した後は突起１６８が復元するので、調整部材１５６はフック１５４から容易には脱抜しない。調整部材１５６が矢印Ａ１とは逆の方向に強く引かれると、突起１６８が変形し、調整部材１５６がシャンク１５８から取り外される。このジグヘッド１５２では、簡単な操作で、かつ短時間で、調整部材１５６の着脱が達成される。この操作の間、ラインはチモトに連結されたままである。
【産業上の利用可能性】
【００５４】
本発明に係るジグヘッドは、種々の魚をターゲットにしたルアーフィッシングに適している。
【符号の説明】
【００５５】
２、３２、５２、７２、１０２、１３２、１５２・・・ジグヘッド
４、３４、５４、７４、１０４、１３４、１５４・・・フック
６、３６、５６、７６、１０６、１３６、１５６・・・調整部材
８・・・チモト
１０、４２、６２、８２、１１４、１４４、１５８・・・シャンク
１２・・・ベンド
１４・・・アイ
１６、３８、５８、７８、１１０、１４０・・・元部
１８、４０、６０、８０、１１２、１４２・・・先部
２２、４３、６４、８４、１１６、１４６、１６４・・・ボディ
２４、４４、６６、８６、１１８、１４８・・・孔
２６、４６、６８、８８、１２０、１５０、１６６・・・スリット
７０・・・ディンプル
９０・・・ウエイト
９２・・・水受け面
１０８、１３８・・・補助部材
１２２・・・筒部
１２４、１２６・・・プレート
１６０・・・湾曲部
１６２・・・垂下部
１６４・・・水平部
１６８・・・突起
【図１】
2011135896.tif 000003
【図２】
2011135896.tif 000004
【図３】
2011135896.tif 000005
【図４】
2011135896.tif 000006
【図５】
2011135896.tif 000007
【図６】
2011135896.tif 000008
【図７】
2011135896.tif 000009
【図８】
2011135896.tif 000010
【図９】
2011135896.tif 000011
【図１０】
2011135896.tif 000012
【図１１】
2011135896.tif 000013